【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
少なくとも１つの試料（２）を顕微鏡構成の試料空間内で位置決めするための方法であって、
透明なゲル（１）を前記試料（２）を入れるための凹部（１４）を備えたゲル体に予め成形した後に前記試料（２）を前記凹部（１４）に入れて前記凹部（１４）の内部で位置決めすることによって前記試料（２）を前記ゲル（１）の中で所定位置に位置決めし、
検出用対物レンズの光軸に垂直な回転軸（１５）周りに回転可能な保持装置（３）によって前記ゲル体を試料空間（２５）内に固定し、
前記保持装置（３）を回転させることにより前記検出用対物レンズの光軸に対する試料（２）の向きを複数回変え、
前記向きを変えたときに生じる各検出方向から、前記試料（２）の画像情報を取得し、
前記取得の際に、各検出方向から前記試料（２）または前記試料の一部分に向かってほぼ遮蔽されない視野が保証されるように前記試料（２）を保持する、
方法。
【請求項２】
前記ゲル体に中空円錐形の凹部（１４）を設け、
前記試料（２）を前記中空円錐体に入れ、
前記試料（２）の生存に悪影響を及ぼさない小さい力の作用の下で前記試料（２）を前記中空円錐体の頂点に保持する、
請求項１に記載の方法。
【請求項３】
前記保持装置（３）が回転するときにも重力の作用によって前記試料（２）が前記中空円錐体の頂点に保持されるように前記ゲル体を前記保持装置（３）に固定する、請求項２に記載の方法。
【請求項４】
前記試料（２）を前記凹部（１４）に入れた後に前記凹部に透明な媒体を注入し、
前記注入された媒体によって前記試料（２）を前記中空円錐体の頂点に保持する、
請求項２に記載の方法。
【請求項５】
初めは流体であるが時間の経過によって所定の温度の下で硬化する媒体を前記凹部（１４）に入れ、
硬化した前記媒体によって前記試料（２）が前記凹部（１４）の内部で所定位置に固定される、
請求項４に記載の方法。
【請求項６】
前記試料（２）を１つずつ入れるための凹部（１４）を備えるゲル体に前記ゲル（１）を予め成形した後に各試料（２）をそれぞれの凹部（１４）に入れて各凹部（１４）内部で位置決めすることによって、複数の試料（２）を前記ゲル（１）の中で位置決めする、請求項１乃至５のいずれか１項に記載の方法。
【請求項７】
各試料（２）を順次にまたは同時に前記凹部（１４）に入れて前記凹部（１４）内部で位置決めする、請求項６に記載の方法。
【請求項８】
前記試料（２）を入れた後、前記凹部（１４）を個別の蓋または全体を覆う蓋によって閉じる、請求項６又は７に記載の方法。
【請求項９】
試料（２）を入れるべき凹部（１４）の領域内でまず前記ゲル体を加熱し、
次いで前記試料（２）を入れ、
その後、初めは流体であるが時間の経過によって所定の温度の下で硬化する媒体を前記凹部（１４）に入れ、
その後、前記時間を短縮するべく前記凹部（１４）の領域内で前記ゲル体を冷却する、
請求項６又は７に記載の方法。
【請求項１０】
第１の凹部（１４）の領域内で前記ゲル体を所定の周期で加熱し、
次いで、前記試料（２）を前記第１の凹部（１４）に入れて当該第１の凹部（１４）の内部で位置決めし、
その後、前記硬化性の媒体を前記第１の凹部（１４）に注入し、これと同時に第２の凹部（１４）の領域内で前記ゲル（１）を加熱し、
その後、前記第１の凹部（１４）の領域内で前記ゲル（１）を冷却し、これと同時に試料（２）を前記第２の凹部（１４）に入れて当該第２の凹部（１４）の内部で位置決めし、前記硬化性の媒体を注入し、第３の凹部（１４）の領域内で前記ゲル（１）を予熱し、
その後、前記第２の凹部（１４）の領域内で前記ゲル（１）を冷却し、これと同時に試料（２）を前記第３の凹部（１４）に入れて位置決めし、前記硬化性の媒体を注入し、第４の凹部（１４）の領域内で前記ゲル（１）を予熱し、
各凹部（１４）に１つの試料（２）が含まれ、位置決めされ、硬化した前記媒体によって固定されるまで以下同様に続ける、
請求項９に記載の方法。
【請求項１１】
複数の試料（２）を試料リザーバ内に保存し、前記試料リザーバから前記試料（２）を個別に取り出し、各試料（２）を、割り当てられた凹部（１４）に入れ、前記試料（２）の個別化および前記凹部（１４）内への導入が自動的に行われる、請求項１乃至１０のいずれか１項に記載の方法。
【請求項１２】
まず前記試料（２）を個別化し、
次いで、前記試料（２）を同じ形状および寸法の個別のゲル体に個別に埋め込み、
続いて、それぞれ１つの試料（２）を含む前記ゲル体を前記試料空間（２５）内に順次に搬送し、
試料（２）の検出が終了した後、再び前記試料空間（２５）から搬出される、
請求項１乃至５のいずれか１項に記載の方法。
【請求項１３】
前記試料（２）が個別にカニューレを通して、支持装置の外面または内面における所定位置か、毛細管の開口における所定位置か、またはゲル体の中における所定位置に導かれる、請求項１乃至１２のいずれか１項に記載の方法。
【請求項１４】
ゲル（１）からなるゲル体の中に試料（２）を埋め込むための方法であって、
第１の部分量のゲル（１）を、長手方向に沿って分割されたカニューレの第１の半体内に置き、
次いで、前記第１の部分量の上に試料（２）を載せ、
その後、前記試料（２）の上に第２の部分量の前記ゲル（１）を載せ、
前記分割されたカニューレの第２の半体を圧力をかけながら載せ、
前記両方の半体の間に中空の円筒形が生じる結果、前記ゲル（１）が前記カニューレの内径に相当する外径を有するとともに、その中に前記試料（２）が封じ込められたゲル体として成形される、方法。
【請求項１５】
硬化性のゲル（１）からなるゲル体に埋め込まれた試料（２）の位置をゲル体の内部の中心に合わせるための方法であって、
埋め込まれた試料（２）を含むがまだ硬化していない状態のゲル（１）からなるゲル体を、監視ステーション（３３）内に入れ、
前記監視ステーション（３３）によって、前記ゲル体の中での前記試料（２）の位置を評価し、
前記評価の結果に応じて、重力の作用の下で前記試料（２）が前記ゲル体の中で所望の位置に沈下するように重力に対して前記ゲル体の向きを調整する、方法。
【請求項１６】
生体物質（３４）から抽出された部分量を試料（４０）として顕微鏡構成の試料空間内で位置決めするための方法であって、
生体物質（３４）に向いて鋭利に研がれたカニューレ（３５）の端部（３６）を前記生体物質（３４）に押し入れ、
前記カニューレ（３５）の内部に移動可能に案内され、押し棒（２８）と接続されたスタンプ（２９）によって、前記生体物質（３４）から前記カニューレを引き抜くときに前記部分量を前記カニューレ（３５）内に保持し、
前記部分量を含む前記カニューレ（３５）を前記試料空間内に入れ、
前記押し棒（２８）および前記スタンプ（２９）によって、前記部分量の一部分だけを前記カニューレ（３５）から押し出し、
前記押し出された部分が試料（４０）として検出され、残りの部分が前記カニューレ（３５）によって保持される、方法。
【請求項１７】
ゲル（１）として、また硬化性の媒体として、アガロースゲルが使用される、請求項１乃至１６のいずれか１項に記載の方法。
【請求項１８】
少なくとも１つの生体試料（２）を、前記試料（２）を検出するために顕微鏡構成の試料空間（２５）内で位置決めするための装置であって、
それぞれ１つの試料（２）が封じ込められる同じ形状および大きさのゲル体のリザーバ（２３）と、
顕微鏡構成の試料空間（２５）内にある、それぞれ１つの前記ゲル体用の保持装置（２３）と、
前記ゲル体リザーバ（２３）から個々のゲル体を取り出し、前記ゲル体を前記保持装置（３）に貯蔵するための取出しおよび貯蔵装置と、
前記保持装置（３）から前記ゲル体を取り出し、搬出するための取出しおよび搬出装置と、
を備える装置。
【請求項１９】
画像評価装置と、
画像評価の結果に応じて制御可能な分類装置とを備え、前記分類装置によって、前記個々のゲル体が、前記保持装置（３）から取り出された後に、様々な貯蔵ホルダに分けて入れられる、
請求項１８に記載の装置。
【請求項２０】
少なくとも１つの生体試料（２）を、前記試料（２）を検出するために顕微鏡構成の試料空間（２５）内で位置決めするための装置であって、
複数の試料（２）が封じ込められる１つのゲル体と、
前記ゲル体を受け取る前送り装置とを備え、前記前送り装置の作動により、前記ゲル体が移動されて、前記封じ込められた試料（２）が順次に前記試料空間（２５）に通され、前記試料空間（２５）に通されるときに各試料（２）から３次元像が取得される、装置。
【請求項２１】
画像評価装置と、
前送り装置用のモータ駆動装置と、
前記画像評価装置および前記駆動装置と接続された制御回路とを備え、
前記制御回路が、
前記画像評価の終了後に、前記駆動装置に対して制御命令が生成され、前記制御命令に従って前記駆動装置が前送り移動を行うことで前記試料空間（２５）内の前記試料（２）が取り替えられるように設計されている、
請求項２０に記載の装置。
【請求項２２】
少なくとも１つの生体試料（２）を、前記試料（２）を検出するために顕微鏡構成の試料空間（２５）内で位置決めするための装置であって、
それぞれ１つの試料（２）を入れるための凹部（１４）を複数の位置に有するゲル体と、
試料リザーバから個々の試料（２）を取り出し、前記試料を前記凹部（１４）に装填するための取出しおよび装入装置と、
前記ゲル体を受け取る前送り装置とを備え、前記前送り装置の作動により前記ゲル体が移動されて、前記凹部（１４）が順次に装填位置（１９）に導かれ、前記装填位置（１９）で前記凹部（１４）にそれぞれ１つの試料（２）が入れられる、装置。
【請求項２３】
初めは流体であるが後で硬化する媒体を凹部（１４）の形状および大きさに対応する量だけ供給し、前記試料（２）を入れた直後に前記媒体を前記凹部（１４）それぞれに注入するための供給装置を備える請求項２２に記載の装置。
【請求項２４】
前記ゲル体と熱的に接続された加熱ステーション（２１）および／または冷却ステーション（２２）を備え、前記加熱ステーション（２１）および／または冷却ステーション（２２）が、前記凹部（１４）の１つに前記媒体を注入する前に少なくとも当該凹部（１４）の領域内でゲル（１）を加熱し、および／または前記凹部（１４）の１つに前記媒体を注入した後に少なくとも当該凹部（１４）の領域内でゲル（１）を冷却する、請求項２３に記載の装置。
【請求項２５】
前送り速度と、加熱および／または冷却温度とが前記媒体の硬化に必要な時間に合わせて調節される、請求項２４に記載の装置。
【請求項２６】
試料を受け入れるための凹部（１４）を前記ゲル体中で削り出すための切削装置が装備される、請求項１８乃至２５のいずれか１項に記載の装置。
【請求項２７】
前記切削装置が、前記ゲル（１）の円錐形部分または円柱形部分を前記ゲル体から削り出すための回転刃を備える、請求項２６に記載の装置。
【請求項２８】
前記切削装置に、前記削り出された凹部（１４）内に単一の試料（２）を供給するためのカニューレが割り当てられる、請求項２７に記載の装置。
【請求項２９】
ゲル（１）からなるゲル体に試料（２）を埋め込むための装置であって、
ゲル（１）および試料（２）を受け入れるための、長手方向に沿って２つの半体に分割されたカニューレと、
前記カニューレ（３５）の内部で移動可能に案内され、前記試料（２）を取り囲む１つのゲル体として成形されるゲル（１）を押し出すための押し棒（２８）と接続されたスタンプ（２９）と
を備える、装置。
【請求項３０】
硬化性のゲル（１）からなるゲル体に埋め込まれた試料（２）の位置を前記ゲル体の内部で中心に位置合わせするための装置であって、
回転駆動装置（３２）と接続され、埋め込められた試料（２）を含むがまだ硬化されていないゲル（１）からなる前記ゲル体の中に押し入れられるカニューレ（３１）と、
前記カニューレ（３１）の周りを囲み、前記ゲル体の内部での前記試料（２）の位置を評価する監視ステーション（３３）と、
前記回転駆動装置（３２）を制御する制御回路であって、前記評価の結果に応じて、重力の作用により前記試料（２）が前記ゲル体の中で所望の位置に沈下するように重力に対して前記ゲル体の向きを調整する前記制御回路と
を備える装置。
【請求項３１】
生体物質（３４）から抽出された部分量を試料（４０）として顕微鏡構成の試料空間内で位置決めするための装置であって、
生体物質（３４）に向かって鋭利に研がれた端部（３６）を有するカニューレ（３５）と、
前記カニューレ（３５）の内部で移動可能に案内される棒（２８）と接続されたスタンプ（２９）と、
を備える装置。